(57)【要約】【課題】熱膨張による光学ユニットからの光の焦点位置の変動を抑制する技術を提供する。【解決手段】画像記録装置１は、光を照射することにより感光材料９（記録媒体）に画像を記録する。画像記録装置１は、ドラム部１１に保持された感光材料９に光を照射するとともに、出射する光の焦点位置が可変のズームレンズ２と、該ズームレンズ２をドラム部１１に対して相対的に移動させて、ズームレンズ２からの光が照射される感光材料９上における照射位置Ｐｏｓ１を走査方向に移動させるヘッド移動機構１３と、ズームレンズ２周辺の温度を検出する温度センサー３１と、温度センサー３１が検出する温度に基づき、ズームレンズ２の熱膨張に対する焦点位置のシフト量を取得して、前記焦点位置を補正する第二制御部６０３を備える。【選択図】図１
2014074837.tif 000002
【特許請求の範囲】
【請求項１】
光を照射することにより記録媒体に画像を記録する画像記録装置であって、
前記記録媒体を保持する保持部と、
前記保持部に保持されている前記記録媒体に光を照射するとともに、出射する光の焦点位置が可変である光学ユニットと、
前記光学ユニットを前記保持部に対して相対的に移動させることで、前記光学ユニットからの光が照射される記録媒体上における照射位置を走査方向に移動させる移動機構と、
前記光学ユニットまたはその周辺の温度を検出する温度検出部と、
前記温度検出部が検出する温度に基づき、光学ユニットの熱膨張に対する前記焦点位置のシフト量を取得して、前記焦点位置を補正する制御部と、
をさらに備える、画像記録装置。
【請求項２】
請求項１に記載の画像記録装置において、
前記制御部は、前記シフト量を、前記環境温度を変数とする一次式に基づいて取得する、画像記録装置。
【請求項３】
請求項１または２に記載の画像記録装置において、
前記光学ユニットと前記保持部との間の距離を計測する距離計測部、
をさらに備え、
前記制御部は、
前記距離計測部により計測された距離に基づいて、前記焦点位置をさらに変更する、画像記録装置。
【請求項４】
請求項３に記載の画像記録装置において、
前記光学ユニットが載置されるベース部と、
前記光学ユニットを覆う筐体と、
前記ベース部に取り付けられているとともに、前記距離計測部を前記筐体から離間させた状態で支持する支持部材と、
を備えている、画像記録装置。
【請求項５】
光を照射することにより記録媒体に画像を記録する画像記録方法であって、
(a) 前記記録媒体を保持部により保持する工程と、
(b) 前記(a)工程にて前記保持部に保持された前記記録媒体に対して、出射する光の焦点位置が可変の光学ユニットから光を照射する工程と、
(c) 前記(b)工程において、前記光学ユニットを前記記録媒体に対して移動させることで、前記光学ユニットからの光が照射される前記記録媒体上の照射位置を走査方向に移動させる工程と、
(d) 前記光学ユニットまたはその周辺の温度を検出する工程と、
(e) 前記(c)工程において、前記(d)工程にて検出された温度に基づき、前記光学ユニットの熱膨張に対する前記焦点位置のシフト量を取得して、前記焦点位置を補正する工程と、
を含む、画像記録方法。
【発明の詳細な説明】
【技術分野】
【０００１】
この発明は、印刷用刷版等の基材に光を照射することによって、画像を形成する技術に関する。
【背景技術】
【０００２】
これまで、変調された光を印刷用刷版等の基材に塗布された感光材料上にて露光することにより、画像を形成する画像形成装置が利用されている。このような装置では、変調された光を感光材料上に導いて集光する光学系が設けられている。
【０００３】
画像形成装置は、一般的に、例えば数時間〜数日の単位で連続稼働されることが多いが、稼働開始時から画像形成装置の各部位の温度は、常に一定ではなく、変動する。また、装置を稼働する日によって、温度が変動する場合もある。さらに、近年では、画像形成速度を向上するために、露光光学系内に照射される光の光量が大きくなっている。このため、レンズ等の光学ユニットを含む装置の各部位の温度が大きく変動する虞がある。
【０００４】
このように画像形成装置の各部位の環境温度が変化すると、光学ユニットのレンズが膨張するとともに、屈折率が変化することで、焦点位置の変動による結像位置のズレ等が生じてしまう場合がある。そこで、特許文献１では、レンズの部分的な温度上昇による結像位置の変動を抑制するべく、最適なレンズの材質、特性等が提案されている。
【先行技術文献】
【特許文献】
【０００５】
【特許文献１】特開２０１２−９３６９５号公報
【発明の概要】
【発明が解決しようとする課題】
【０００６】
しかしながら、特許文献１では、レンズ自体の膨張および屈折率の変動による焦点位置の変動を抑制することが考慮されているが、レンズを支持する支持体（鏡筒等）の膨張による、焦点位置の変動について考慮されていない。このため、温度変化によりレンズの位置がずれることで、焦点位置が変動してしまう虞がある。また、光学ユニット以外にも、印刷用刷版を支持する部材や、光学ユニットを支持する部材などが、熱膨張することで、焦点位置が変動してしまう虞もあった。
【０００７】
本発明は、上記課題に鑑みなされたものであり、熱膨張による光学ユニットからの光の焦点位置の変動を抑制する技術を提供することを目的とする。
【課題を解決するための手段】
【０００８】
上記の課題を解決するため、第１の態様は、光を照射することにより記録媒体に画像を記録する画像記録装置であって、前記記録媒体を保持する保持部と、前記保持部に保持されている前記記録媒体に光を照射するとともに、出射する光の焦点位置が可変の光学ユニットと、前記光学ユニットを前記保持部に対して相対的に移動させることで、前記光学ユニットからの光が照射される記録媒体上における照射位置を走査方向に移動させる移動機構と、前記光学ユニットまたはその周辺の温度を検出する温度検出部と、前記温度検出部が検出する温度に基づき、温度変化による光学ユニットの熱膨張による前記焦点位置のシフト量を取得して、前記焦点位置を補正する制御部とをさらに備える。
【０００９】
また、第２の態様は、第１の態様に係る画像記録装置において、前記制御部は、前記シフト値を、前記環境温度を変数とする一次式に基づいて算出する。
【００１０】
また、第３の態様は、第１または第２の態様に係る画像記録装置において、前記光学ユニットと前記保持部との間の距離を計測する距離計測部、をさらに備え、前記制御部は、前記距離計測部により計測された距離に基づいて、前記焦点位置をさらに変更する。
【００１１】
また、第４の態様は、第３の態様に係る画像記録装置において、前記光学ユニットが載置されるベース部と、前記光学ユニットを覆う筐体と、前記ベース部に取り付けられているとともに、前記距離計測部を前記筐体から離間させた状態で支持する支持部材とを備えている。
【００１２】
また、第５の態様は、光を照射することにより記録媒体に画像を記録する画像記録方法であって、(a)前記記録媒体を保持部により保持する工程と、(b)前記(a)工程にて前記保持部に保持された前記記録媒体に対して、出射する光の焦点位置が可変の光学ユニットから光を照射する工程と、(c)前記(b)工程において、前記光学ユニットを前記記録媒体に対して移動させることで、前記光学ユニットからの光が照射される前記記録媒体上の照射位置を走査方向に移動させる工程と、(d)前記光学ユニットまたはその周辺の温度を検出する工程と、(e)前記(c)工程において、前記(d)工程にて検出された温度に基づき、前記光学ユニットの熱膨張に対する前記焦点位置のシフト量を取得して、前記焦点位置を補正する工程とを含む。
【発明の効果】
【００１３】
第１から第５の態様によると、環境温度に依存した光学ユニットの熱膨張による焦点位置の変動を補正により取り除くことができる。これにより、画像記録を高精度に行うことができる。
【００１４】
また、第２の態様によると、一次式に基づいて補正値を算出するため、補正値の計算が容易となる。
【００１５】
また、第３の態様によると、光学ユニットと保持部との間の距離の変動に合わせて、焦点位置を適切に変更することができる。これにより、画像記録を高精度に行うことができる。
【００１６】
また、第４の態様に係る画像記録装置によると、環境温度による筐体の変形によって、距離計測部の位置が変動することを抑制することができる。これにより、光学ユニットと保持部との間の距離を正確に計測することができる。
【図面の簡単な説明】
【００１７】
【図１】実施形態に係る画像記録装置の全体図である。
【図２】画像記録装置が備える制御部のハードウエア構成を示すブロック図である。
【図３】ズームレンズからの光の焦点位置を制御するための構成を示すブロック図である。
【図４】異なる環境温度における、ズームレンズの焦点面の位置を示すグラフである。
【図５】比較例に係る画像記録装置を示す図である。
【図６】比較例に係る画像記録装置稼働時における、距離計測部による距離の測定結果を示すグラフである。
【図７】実施形態に係る画像記録装置稼働時における、距離計測部による距離の測定結果を示すグラフである。
【発明を実施するための形態】
【００１８】
以下、添付の図面を参照しながら、本発明の実施形態について説明する。ただし、この実施の形態に記載されている構成要素はあくまでも例示であり、本発明の範囲をそれらのみに限定する趣旨のものではない。また、図面においては、理解容易のため、必要に応じて各部の寸法や数が誇張または簡略化して図示されている場合がある。さらに、図面においては、ＸＹ平面を水平面とし、Ｚ軸方向を鉛直方向とするＸＹＺ直交座標系が付されている場合がある。
【００１９】
＜１．  実施形態＞
図１は、実施形態に係る画像記録装置１の全体図である。画像記録装置１は、光を照射して、対象物を加熱することにより、対象物上にパターンの形成を行う、ＣＴＰ（Computer to Plate）出力装置として構成されている。
【００２０】
画像記録装置１は、不図示のモータによりＸ軸方向に延びる回転軸Ｊ１周りに回転するドラム部１１を備えている。該ドラム部１１の外周面上には、画像記録の対象物である、感光材料９が保持されている。つまり、ドラム部１１は、保持部の一例である。また、感光材料９は、本発明に係る記録媒体の一例である。
【００２１】
ドラム部１１の−Ｙ側には、感光材料９に光を照射するヘッド部１２が設けられている。ヘッド部１２は、ヘッド本体部１２０、光源部１２１および円筒カム機構１２５を備えている。ヘッド本体部１２０の内部には、円筒カム機構１２５により駆動されるズームレンズ２が設けられている。ズームレンズ２は、本発明に係る光学ユニットの一例である。
【００２２】
光源部１２１は、レーザ光源１２６、該レーザ光源１２６からの光を線状光（光束断面が線状の光）に成形する光源光学系１２７、該光源光学系１２７に導かれた線状光を変調する空間光変調デバイス１２８を備えている。なお、図１においては、レーザ光源１２６、光源光学系１２７および空間光変調デバイス１２８の形状や配置が模式的に示されており、実際の形状および配置とは異なる。
【００２３】
空間光変調デバイス１２８により変調された光は、ズームレンズ２により、感光材料９へと導かれる。画像記録装置１では、レーザ光源１２６および光源光学系１２７が、空間光変調デバイス１２８に向けて線状光を出射する光出射部を構成している。レーザ光源１２６は、具体的には波長８０８ｎｍの光（近赤外領域の光）を出射する。ただし、レーザ光源１２６が出射する光の波長は、７８０〜８５０ｎｍの範囲で適宜変更することができる。
【００２４】
空間光変調デバイス１２８は、レーザ光源１２６および光源光学系１２７で構成される光出射部からの線状光を、空間変調する回折格子型のデバイスである。空間光変調デバイス１２８としては、具体的には、特許文献１に記載されているように、例えば、ＧＬＶ（Grating Light Valve：グレーチング・ライト・バルブ）（シリコン・ライト・マシーンズ（サニーベール、カリフォルニア）の登録商標））を採用することができる。
【００２５】
ズームレンズ２は、所定の間隔を空けて配置される複数の凹レンズおよび凸レンズ等により構成されている。各レンズは、アルミ製等の金属で形成された鏡筒の内部に収納されている。ズームレンズ２の構成としては、例えば特許文献１に開示されているズームレンズ、または、これに類似する構成を採用することができる。
【００２６】
ズームレンズ２の周辺部には、ズームレンズ２周辺の環境温度を検出する、サーミスター等で構成された温度センサー３１が設けられている。温度センサー３１は、本発明に係る温度検出部の一例である。温度センサー３１は、ズームレンズ２を構成する鏡筒の外側であって、ヘッド本体部１２０の内部に設けられている。このため、温度センサー３１は、鏡筒周辺の温度を検出する。
【００２７】
なお、温度センサー３１が温度を検出する部位は、鏡筒周辺に限定されるものではない。温度センサー３１が検出した温度に関する情報は、後述するように、温度依存的に変動するズームレンズ２の焦点位置の補正に利用される。このため、温度センサー３１は、ズームレンズ２に近接する部位の温度を検出すればよい。したがって、例えば、ズームレンズ２の鏡筒自体または鏡筒内部、または、ズームレンズ２を構成するレンズ自体の温度を検出するように、温度センサー３１が設けられていてもよい。また、温度センサー３１は、少なくとも、ヘッド部１２を保護する筐体５３の内部とすることが望ましい。
【００２８】
図１に示されるように、ヘッド部１２は、略直方体状のベース部４１の上面に載置されている。このベース部４１は、図１中のＸ軸方向に沿って延びる一対のガイド部４３およびガイド部４３上をスライド移動する不図示のスライダーを介して、エンジンベース５１に支持されている。一対のガイド部４３は、エンジンベース５１の上面に固定されており、不図示のスライダーは、ヘッド部１２の底面に固定されている。エンジンベース５１は、ヘッド部１２やベース部４１の他、ドラム部１１を支持する支持部材である。
【００２９】
ベース部４１は、ヘッド移動機構１３に接続されている。ヘッド移動機構１３は、図示しないボールねじ等で構成されている直動機構であり、ヘッド部１２を、ガイド部４３に沿う方向（図１中のＸ軸方向）に移動させる。画像記録装置１では、ヘッド移動機構１３がヘッド部１２からの感光材料９上における照射位置Ｐｏｓ１を移動させる移動機構を構成する。
【００３０】
ベース部４１における、ドラム部１１側（＋Ｙ側）の側面には、レンズガード４５が固定されている。レンズガード４５は、＋Ｙ方向に突出する突出部４５１と、該突出部４５１から＋Ｚ方向に起立して延びる起立部４５３とで構成されている。起立部４５３は、ヘッド部１２のズームレンズ２が収納されている部分を通す孔が形成されており、主に、ズームレンズ２を保護する機能を備えている。この起立部４５３の上部には、距離計測部４７が設置されている。
【００３１】
距離計測部４７は、図示を省略するが、ドラム部１１に向けて光を出射する出射部と、ドラム部１１にて反射した光を検出する検出部とで構成されている。検出部は、例えば、ラインセンサーで構成されている。画像記録装置１では、このラインセンサーにおける検出位置の変位量に基づき、ズームレンズ２とドラム部１１の間の距離が計測される。距離計測部４７は、その測定精度が１μｍ以下であることが好ましい。
【００３２】
図１に示されるように、ヘッド部１２は、底が開口した略直方体状の筐体５３に覆われることにより保護されている。レンズガード４５の起立部４５３は、突出部４５１が設けられているため、筐体５３からは、＋Ｙ側に離間している。距離計測部４７についても、起立部４５３と同様に、筐体５３から離間している。本実施形態では、レンズガード４５が距離計測部４７を支持する支持部材を構成している。
【００３３】
図２は、画像記録装置１が備える制御部６０のハードウエア構成を示すブロック図である。制御部６０は、画像記録装置１が備える各要素と電気的に接続されている。制御部６０は、各種の演算処理を実行しつつ、画像記録装置１の各要素の動作を制御する。図２に示されるように、制御部６０は、ＣＰＵ６１、ＲＯＭ６２、ＲＡＭ６３、記憶部６４等がバスライン６５を介して相互接続された一般的なコンピュータで構成されている。ＲＯＭ６２は基本プログラム等を格納している。ＲＡＭ６３はＣＰＵ６１が所定の処理を行う際の作業領域として供される。記憶部６４は、フラッシュメモリ、または、ハードディスク装置等の不揮発性の補助記憶装置によって構成されている。
【００３４】
記憶部６４にはプログラムＰＧ１が格納されており、このプログラムＰＧ１に記述された手順に従って、主制御部としてのＣＰＵ６１が演算処理を行うことにより、各種機能が実現されるように構成されている。
【００３５】
プログラムＰＧ１は、通常、予め記憶部６４等に格納されて使用されるものである。しかしながら、プログラムＰＧ１は、例えば、光学メディア（ＣＤ−ＲＯＭ等）、磁気メディア、半導体メモリ（フラッシュメモリ等）といった、可搬の記録媒体に記録された形態（プログラムプロダクト）で提供され、あるいは、ネットワークを介した外部サーバからのダウンロード等により提供され、記憶部６４等に適宜格納されるものであってもよい。
【００３６】
また、制御部６０では、入力部６６、表示部６７、通信部６８がバスライン６５に接続されている。入力部６６は、各種スイッチ、タッチパネル等により構成されており、オペレータから各種の入力設定指示を受け付ける。表示部６７は、液晶表示装置、ランプ等により構成されており、ＣＰＵ６１による制御の下、各種情報を表示する。通信部６８は、ＬＡＮ等を介したデータ通信機能を有する。
【００３７】
図３は、ズームレンズ２からの光の焦点位置を制御するための構成を示すブロック図である。図３に示されるように、制御部６０においては、プログラムＰＧ１に記述された手順に従って主制御部としてのＣＰＵ６１が演算処理を行うことにより、第一制御部６０１および第二制御部６０３が実現される。なお、制御部６０において実現される一部あるいは全部の機能は、専用の論理回路等でハードウエア的に実現されてもよい。
【００３８】
第一制御部６０１は、距離計測部４７によって測定された距離の測定結果から、ヘッド部１２とドラム部１１との間の距離の変動量を測定し、該変動を吸収するように、円筒カム機構１２５を制御して、ヘッド部１２からの光の焦点位置を制御する。
【００３９】
第二制御部６０３は、温度センサー３１が検出した温度に基づいて、温度変化によるヘッド部１２（特に、ズームレンズ２）の膨張に対する、焦点位置の補正値を取得し、該補正値に基づいて、前記焦点位置を変更する。
【００４０】
温度変動が起こると、特に鏡筒が熱膨張することで、ズームレンズ２を構成する各レンズの位置関係が、僅かに変化する。また、ズームレンズ２以外にも、感光材料９を保持するドラム部１１またはヘッド部１２を支持するエンジンベース５１なども、熱膨張しうる。これらの部材の熱膨張により、ヘッド部１２からの光の焦点位置に変動が生じてしまう。このため、本実施形態では、第二制御部６０３が円筒カム機構１２５を制御することによって、この焦点位置の変動を補正する。これにより、ヘッド部１２からの光の焦点位置が最適となるように制御される。
【００４１】
図４は、異なる環境温度における、ズームレンズ２の焦点面の位置を示すグラフである。図４において、横軸は、光軸方向における位置を示しており、縦軸は、焦点面の高さ方向における位置を示している。なお、図４のグラフは、光学設計ソフト（CODE V：サイバネット社製）を使って、環境温度を変えたときの、ズームレンズ２を構成する各レンズの曲率と厚みの変化、および、材質がアルミ(ＡＬ６０６１：膨張係数２３４．０×１０−７ ｍ／℃)の鏡筒の熱膨張をシミュレーションすることで、得たものである。
【００４２】
ズームレンズ２は、一般的なレンズと同様に、球面収差を有している。このため、ズームレンズ２から出射された光は、図４に示されるように、焦点面が湾曲する。図４では、環境温度（ズームレンズ２の鏡筒周辺の温度、すなわち、温度センサー３１が検出する部位の温度。）が１０℃、２０℃および３０℃のときの、それぞれの焦点面の位置が図示されている。
【００４３】
このシミュレーション結果によると、ズームレンズ２からの光の焦点位置は、環境温度に依存して変動することが明らかとなった。より具体的には、ズームレンズ２の場合、焦点位置の変動量は、環境温度に略比例することが分かった。例えば、図４に示されるように、焦点面の高さ位置「０」における、光軸方向の位置に着目すると、環境温度が１０℃から２０℃へ変化したとき（＝温度が１０℃変化したとき）の焦点面のフォーカスシフト量（ΔＹ１）と、環境温度が２０℃から３０℃へ変化したとき（温度が１０℃変化したとき）のフォーカスシフト量（ΔＹ２）とが、略一致している。すなわち、少なくとも一般的な環境温度（例えば、１０℃〜３０℃）下では、像面の焦点面のフォーカスシフト量ＴＡは、下記の式（１）のように、環境温度ＴＰを変数と１次式で表すことができる。
【００４４】
ＴＡ＝α・（ＴＰ−ＴＰ０）・・・式（１）
【００４５】
この式（１）において、ＴＰ０は、フォーカスシフト量を０とするときの基準の環境温度である。また、αは定数であり、環境温度が１℃変化したときのフォーカスシフト量に一致する。この式（１）によると、基準の環境温度からの温度差が発生したときの、フォーカスシフト量ＴＡを、容易に算出することができる。
【００４６】
画像記録装置１において画像記録が行われている間、第二制御部６０３は、この式（１）によって取得されるフォーカスシフト量を相殺するように、円筒カム機構１２５を制御する。つまり、第二制御部６０３は、温度センサー３１から取得された環境温度ＴＰを、式（１）に代入して、フォーカスシフト量ＴＡを取得する。そして、第二制御部６０３は、ヘッド部１２からの光の焦点位置を、フォーカスシフト量ＴＡの分、シフトした方向とは反対側に戻すことで、補正を行う。つまり、第二制御部６０３は、式（１）を補正式として、算出されるフォーカスシフト量ＴＡを補正値として取得する。
【００４７】
このようにして取得した補正値に応じて、ズームレンズ２からの光の焦点位置を制御することにより、環境温度ＴＰの変化によって生じる、焦点位置の変動を相殺することができる。このため、画像記録装置１における画像の記録を高精度に行うことができる。
【００４８】
なお、上記説明では、第二制御部６０３が、式（１）に環境温度ＴＰを代入することにより、補正値を取得している。しかしながら、補正値を取得する方法は、このようなものに限定されない。例えば、いくつかの環境温度ＴＰと、それに対応するフォーカスシフト量ＴＡとを記録したテーブルを予め用意しておき、第二制御部６０３が、検出された環境温度ＴＰに対応するフォーカスシフト量ＴＡを当該テーブルから取得して、該フォーカスシフト量ＴＡから補正値を決定するようにしてもよい。このようなテーブルは、上記式（１）を用いることで容易に作成可能であるが、各環境温度ＴＰにおけるフォーカスシフト量ＴＡを逐一実測することでも作成可能である。
【００４９】
図５は、比較例に係る画像記録装置１Ａを示す図である。画像記録装置１Ａは、図１に示される画像記録装置１とほぼ同様の構成を備えている。しかしながら、距離計測部４７を支持するレンズガード４５Ａは、突出部４５１を備えておらず、ヘッド部１２を覆う筐体５３Ａの＋Ｙ側の側面に取り付け固定されている。
【００５０】
図６は、比較例に係る画像記録装置１Ａ稼働時における、距離計測部４７による距離の測定結果を示すグラフである。同図において、横軸は時間を示しており、左側の縦軸は温度を、右側の縦軸は距離をそれぞれ示している。また、同図中、実線で示されるグラフは、ベース部４１の温度ＴＰ３を示しており、一点鎖線で示されるグラフは、ズームレンズ２の温度ＴＰ４を示しており、二点鎖線で示されるグラフは、ヘッド部１２内の温度ＴＰ５を示している。
【００５１】
図６に示されるように、画像記録装置１の稼働開始直後から４〜５時間の間は、各部位の温度ＴＰ３〜ＴＰ５がいずれも上昇することが判る（温度過渡状態）。また、稼働開始から４〜５時間が経過すると、各部位の温度ＴＰ３〜ＴＰ５は、ほとんど変化せずに、ほぼ一定の平衡状態に達することが判る（温度平衡状態）。
【００５２】
一方、距離計測部４７による距離の計測結果は、グラフＤＰ１で示されるように、グラフＤＰ１は、一旦距離が大きくなった後、徐々に下降していることが判る。なお、同条件で、繰り返し距離の計測を行ったところ、測定結果について、再現性が乏しい結果となった。また、グラフＤＰ１に示されるように、短い間隔で計測結果が大きく揺らいでいることが判る。計測結果が変動し、かつ、揺らぐ原因としては、様々な理由が考えられるが、その一つとして、筐体５３Ａの変形が原因であると考えられる。つまり、筐体５３Ａが、環境温度の変化等により、捩れ変形して、筐体５３Ａに取り付けられているレンズガード４５Ａおよび距離計測部４７が、押されたり引っ張られたりすることで、距離計測部４７自体が＋Ｙ方向または−Ｙ方向に変位したと考えられる。その結果、距離計測部４７による、ズームレンズ２とドラム部１１との間の距離の測定結果に不安定な変動が起こったものと考えられる。
【００５３】
図７は、実施形態に係る画像記録装置１稼働時における、距離計測部４７による距離の測定結果を示すグラフである。なお、図７に示されるグラフおいて、距離のスケール（１目盛り辺りの距離）は、図６に示されるグラフにおける、距離のスケールと一致している。本実施形態に係る画像記録装置１では、上述したように、レンズガード４５が突出部４５１を有していることによって、レンズガード４５の起立部４５３および距離計測部４７が、筐体５３の側面から離されている。
【００５４】
図７に示されるグラフＧＰ２によると、画像記録装置１稼働時における、ズームレンズ２とドラム部１１との間の距離は、装置稼働直後において若干変動するが、２〜３時間経過した後は、ほぼ平衡状態に達していることが判る。また、図６に示されるグラフＧＰ１において観察された揺らぎは、グラフＧＰ１ではほとんど発生していないことが判る。
【００５５】
以上の計測結果から、距離計測部４７およびこれを支持する支持部材（レンズガード４５）を、筐体５３から離間させることによって、距離計測部４７により計測される距離の変動および揺らぎを抑制することができる。
【００５６】
筐体５３Ａの変形により、計測される距離に変動および揺らぎが生じた場合、ズームレンズ２とドラム部１１との間の距離に変動がないにも関わらず、第一制御部６０１によって焦点位置が変更されることとなる。このため、焦点が合っていない状態で画像記録が行われてしまい、画像記録の精度が極めて低くなってしまう。これに対して、本実施形態の画像記録装置１では、距離計測部４７による距離の計測結果において、変動および揺らぎが発生することを抑制することができる。このため、ズームレンズ２とドラム部１１との間の距離を正確に計測することができる。したがって、第一制御部６０１により、ズームレンズ２からの光の焦点位置を適切に制御することができるため、画像記録を高精度に行うことができる。
【００５７】
＜２．  変形例＞
以上、実施形態について説明してきたが、本発明は上記のようなものに限定されるものではなく、様々な変形が可能である。
【００５８】
例えば、上記実施形態に係る画像記録装置１は、ドラム部１１に保持された感光材料９に光を照射して、画像形成するように構成されている。本発明は、感光材料９をドラム部１１で支持する代わりに、平面状の支持体に固定して、該平面上の支持体を副走査方向に移動させながら、画像の記録が行う場合にも有効である。この場合において、例えば、感光材料９を定位置に固定した状態で、ヘッド部１２自体を走査方向および副走査方向の双方に移動させてもよい。
【００５９】
なお、上記各実施形態及び各変形例で説明した各構成は、相互に矛盾しない限り適宜組み合わせることができる。
【符号の説明】
【００６０】
１，１Ａ  画像記録装置
１１  ドラム部
１２  ヘッド部
１２０  ヘッド本体部
１２１  光源部
１２５  円筒カム機構
１２６  レーザ光源
１２７  光源光学系
１２８  空間光変調デバイス
１３  ヘッド移動機構（移動機構）
２  ズームレンズ（光学ユニット）
３１  温度センサー（温度検出部）
４１  ベース部
４３  ガイド部
４５，４５Ａ  レンズガード
４５１  突出部
４５３  起立部
４７  距離計測部
５３，５３Ａ  筐体
６０  制御部
６０１  第一制御部
６０３  第二制御部
９  感光材料（記録媒体）
Ｐｏｓ１  照射位置
ＴＡ  フォーカスシフト量
ＴＰ  環境温度
【図１】
2014074837.tif 000003
【図２】
2014074837.tif 000004
【図３】
2014074837.tif 000005
【図４】
2014074837.tif 000006
【図５】
2014074837.tif 000007
【図６】
2014074837.tif 000008
【図７】
2014074837.tif 000009